(57)【要約】【課題】アークランナのかしめ用の孔部周りに特別な曲面加工をしなくても、突出部が破損することを抑制できるようにすること。【解決手段】突出部２１を備えた固定接触子２と、固定接点と可動接点が離れる際に発生するアークを消弧装置へ誘導するアークランナ３とを備え、前記アークランナ３に備えた孔部３１に対して挿入された前記突出部２１により、固定接触子２とアークランナ３が固定された回路遮断器であって、固定接触子２の突出部２１の周囲に溝部２２を設けた構成とする。【選択図】図８
2019008927.tif 000002
【特許請求の範囲】
【請求項１】
突出部を備えた固定接触子と、固定接点と可動接点が離れる際に発生するアークを消弧装置へ誘導するアークランナとを備え、前記アークランナに備えた孔部に対して挿入された前記突出部により、固定接触子とアークランナが固定された回路遮断器であって、固定接触子の突出部の周囲に溝部を設けた回路遮断器。
【請求項２】
溝部は、突出部の中心軸から離れるほど漸次深さが深くなる部位を備えた請求項１に記載の回路遮断器。
【請求項３】
溝部の側面の少なくとも一部が曲面状である請求項１又は２に記載の回路遮断器。
【発明の詳細な説明】
【技術分野】
【０００１】
本発明は、回路遮断器の固定接触子にアークランナをかしめるための構造に関するものである。
【背景技術】
【０００２】
アークを消弧装置に誘導するアークランナを回路遮断器に取り付けることが知られている。また、固定接触子に突出部を設け、アークランナのかしめ用の孔部をその突出部に挿入し、突出部の先端部を押し潰すことによって、固定接触子にアークランナをかしめて取り付けることが知られている。このように取り付けると、図１０に示すような状態となる。つまり、孔部１３１に挿入された突出部１２１の先端が広げられ、アークランナ１０３が固定接触子１０２に取り付けられることになる。このようにして用いられる突出部には、回路遮断器の開閉動作による振動などに起因して、応力がかけられる。突出部は固定接触子から突出しているため、その根元部分に、応力が集中しやすくなり、根元部分を起点として突出部が破損してしまう虞があった。そこで、特許文献１に記載された技術では、突出部の根元部分をＲ形状とすることで、根元部分に応力が集中することを防いでいる。
【先行技術文献】
【特許文献】
【０００３】
【特許文献１】実開昭６２−９３４１号公報
【０００４】
しかしながら、この方法では、固定接触子の突起部の根元部分に加工が必要になるとともに、アークランナのかしめ用の孔部周りは、突起部の根元部分にあわせた加工が必要となってしまう。また、アークランナの板厚が薄い場合には、このような加工ができないということも問題であった。
【発明の概要】
【発明が解決しようとする課題】
【０００５】
本件の発明者は、この点について鋭意検討することにより、解決を試みた。本発明の課題は、アークランナのかしめ用の孔部周りに特別な曲面加工をしなくても、突出部が破損することを抑制できるようにすることである。
【課題を解決するための手段】
【０００６】
上記課題を解決するため、突出部を備えた固定接触子と、固定接点と可動接点が離れる際に発生するアークを消弧装置へ誘導するアークランナとを備え、前記アークランナに備えた孔部に対して挿入された前記突出部により、固定接触子とアークランナが固定された回路遮断器であって、固定接触子の突出部の周囲に溝部を設けた回路遮断器とする。
【０００７】
溝部は、突出部の中心軸から離れるほど漸次深さが深くなる部位を備えた構成とすることが好ましい。
【０００８】
溝部の側面の少なくとも一部が曲面状である構成とすることが好ましい。
【発明の効果】
【０００９】
本発明では、アークランナのかしめ用の孔部周りに特別な曲面加工をしなくても、突出部が破損することを抑制できる。
【図面の簡単な説明】
【００１０】
【図１】実施形態の回路遮断器の内部構造を示した図である。
【図２】固定接触子とアークランナがかしめられている状態を示す斜視図である。
【図３】固定接触子とアークランナがかしめられる前の状態を示す斜視図である。
【図４】断面矩形状の溝部を備えた固定接触子とアークランナがかしめられている状態を示す概略図である。ただし、図２の突出部周りをＡ−Ａ矢視した断面として表している。
【図５】断面三角形状の溝部を備えた固定接触子とアークランナがかしめられている状態を示す概略図である。ただし、図２の突出部周りをＡ−Ａ矢視した断面として表している。
【図６】断面扇形状の溝部を備えた固定接触子とアークランナがかしめられている状態を示す概略図である。ただし、図２の突出部周りをＡ−Ａ矢視した断面として表している。
【図７】断面三角扇形状の溝部を備えた固定接触子とアークランナがかしめられている状態を示す概略図である。ただし、図２の突出部周りをＡ−Ａ矢視した断面として表している。なお、溝部は、突出部の中心軸から離れるほど漸次深さが深くなるように構成されている。
【図８】断面扇形状の溝部を備えた固定接触子とアークランナがかしめられている状態を示す概略図である。ただし、図２の突出部周りをＡ−Ａ矢視した断面として表している。なお、溝部は、突出部の中心軸から離れるほど漸次深さが深くなるように構成されている。
【図９】断面半円状の溝部を備えた固定接触子とアークランナがかしめられている状態を示す概略図である。ただし、図２の突出部周りをＡ−Ａ矢視した断面として表している。
【図１０】従来技術において、固定接触子とアークランナがかしめられている状態を示す概略図である。
【発明を実施するための形態】
【００１１】
以下に発明を実施するための形態を示す。図１乃至図３に示されていることから理解されるように、本実施形態の回路遮断器１は、突出部２１を備えた固定接触子２と、固定接点１１と可動接点１２が離れる際に発生するアークを消弧装置１３へ誘導するアークランナ３とを備えている。このアークランナ３に備えた孔部３１に対して挿入された突出部２１を変形させることにより、固定接触子２とアークランナ３が固定されている。また、固定接触子２の突出部２１の周囲に溝部２２を設けている。このため、アークランナ３のかしめ用の孔部３１の周りに特別な曲面加工をしなくても、突出部２１が破損することを抑制できる。
【００１２】
ここで、アークとアークランナ３との関係について説明する。本実施形態の回路遮断器１は、可動接点１２を有した可動接触子９を備えた開閉機構部と、固定接点１１を有した固定接触子２を備えている。この可動接点１２と固定接点１１とが接触することによって、回路遮断器１は通電可能な状態となる。また、この可動接点１２と固定接点１１とが離れることで、通電可能な状態が解除される。通電されている最中に、遮断機構が働き、可動接点１２と固定接点１１が離れる場合、可動接点１２と固定接点１１の間に高温のアークが発生する場合がある。この高温のアークによって、固定接触子２や可動接触子９などが溶融し、その溶融物が開閉機構部などに付着すると、回路遮断器１の遮断性能が低下してしまう虞がある。
【００１３】
それを防ぐために、回路遮断器１の内部には、消弧室ケース１４と複数枚の消弧板１５から構成される消弧装置１３を設けている。この消弧装置１３へアークを誘導するためにアークランナ３が設けられる。
【００１４】
本実施形態のアークランナ３は、図２に示すように、固定接触子２の固定接点１１に隣接して配置される。また、アークランナ３は、固定接触子２の突出部２１にかしめられることで固定される。図３に示すように、本実施形態では、固定接触子２の突出部２１の周囲に溝部２２を設けている。図４に示すことから理解されるように、アークランナ３の孔部３１の周囲が溝部２２と対向するように配置された状態で、突出部２１の先端が押しつぶされることで、固定接触子２とアークランナ３がかしめ固定される。固定接触子２に設けた溝部２２は、接点の開閉動作によって生じる振動（応力）が突出部２１の根元部分に集中しないようにすることができる。
【００１５】
本実施形態のアークランナ３は二つの孔部３１を備えており、固定接触子２にはこの孔部３１に差し込まれる円柱状の突出部２１が二つ設けられている。この突出部２１のいずれも、その周囲に円形状の溝部２２を備えている。
【００１６】
図４に示す溝部２２は断面矩形状であるが、図５に示すように、断面三角形状とすることができる。また、図６に示すように、断面扇形状とすることもできる。図７などに示すように、溝部２２を、突出部２１の中心軸Ｃから離れるほど漸次深さが深くなる部位を備えるように構成すれば、突出部２１の根元に応力が集中することをより効果的に抑制することができる。
【００１７】
図７などに示すように、突出部２１の根本と、その根元に連なる斜面とがなす角度θを９０度より大きく１８０度より小さくするように溝部２２を設けることが好ましく、より好ましくは１３５度以上である。図７に示す例においては、当該角度θを１３５度としている。
【００１８】
溝部２２の断面形状としては、その他、如何なる形状でも構わないが、溝部２２を突出部２１に沿って形成することが好ましい。また、図８及び図９に示すように、溝部２２の側面の少なくとも一部が曲面状であることが好ましい。このようにすれば、突出部２１の根元に応力が集中することをより効果的に抑制することができる。なお、図８及び図９に示す例では、溝部２２の側面の一部がアール状に構成されている。
【００１９】
以上、いくつかの実施形態を中心に説明してきたが、本発明は上記実施形態に限定されることはなく、各種の態様とすることが可能である。例えば、固定接触子に設ける突出部は一つでも、三つ以上でもよい。
【００２０】
突出部は円柱形状でなくても良く、例えば、角柱状などにすることも可能である。この際。溝部を平面視四角状にすることも可能である。
【符号の説明】
【００２１】
１  回路遮断器
２  固定接触子
３  アークランナ
１１  固定接点
１２  可動接点
１３  消弧装置
２１  突出部
２２  溝部
３１  孔部
Ｃ  中心軸
【図１】
2019008927.tif 000003
【図２】
2019008927.tif 000004
【図３】
2019008927.tif 000005
【図４】
2019008927.tif 000006
【図５】
2019008927.tif 000007
【図６】
2019008927.tif 000008
【図７】
2019008927.tif 000009
【図８】
2019008927.tif 000010
【図９】
2019008927.tif 000011
【図１０】
2019008927.tif 000012